(57)【要約】  運動源、熱源、および光源からエネルギーを収集するためのタイル、好ましくは屋根タイル（１）を提供することが提案される。タイルは、光源からエネルギーを収集するための少なくとも１つの太陽電池（３）と、少なくとも１つの熱収集器（４）とを有する、ハウジング（２）を含む。タイルは、風力タービン（６）を有する少なくとも１つの風路（５）を含む。
2019535942.tif 000002
【特許請求の範囲】
【請求項１】
運動源、熱源、および光源からエネルギーを収集するためのタイル、好ましくは屋根タイル（１）であって、
光源からエネルギーを収集するための少なくとも１つの太陽電池（３）と、少なくとも１つの熱収集器（４）とを有する、ハウジング（２）を含み、
前記タイルは、風力タービン（６）を有する少なくとも１つの風路（５）を含むことを特徴とする、タイル。
【請求項２】
前記風路は、少なくとも１つの入口（７）と少なくとも１つの出口（８）とを含み、入口断面積および出口断面積は、入口と出口との間の前記風路（５）の断面積（９）よりも大きいことを特徴とする、請求項１に記載のタイル。
【請求項３】
前記タイルは凹状面（１０）を含み、前記凹状面は好ましくは、前記少なくとも１つの太陽電池（３）によって少なくとも部分的に形成されることを特徴とする、請求項１または２に記載のタイル。
【請求項４】
前記ハウジングは、前記風路（５）を制限し、好ましくは前記少なくとも１つの太陽電池（３）用のベースを提供する凹状プレート（１１）を含むことを特徴とする、請求項２および３に記載のタイル。
【請求項５】
前記凹状面は、前記風路（５）の方向（１３）に延在する、または前記風路（５）の方向に直交（１４）して延在する底部（１２）を含むことを特徴とする、請求項３または４に記載のタイル。
【請求項６】
前記タイルは、少なくとも部分的に間隔を置いた前記凹状面（１０）を覆う透明のカバーシート（１５）を含み、前記カバーシートは好ましくは、遮音材料、特に好ましくはプラスチックで少なくとも部分的に作られることを特徴とする、請求項３〜５のいずれか１項に記載のタイル。
【請求項７】
前記カバーシート（１５）は、入口（７）の側で前記風路（５）を越えて延在することを特徴とする、請求項６に記載のタイル。
【請求項８】
前記風力タービンはロータブレード（１６）を含み、ならびに／もしくは、ブレードレスタービンおよび／またはテスラタービンおよび／または波発生器であることを特徴とする、先行する請求項のいずれか１項に記載のタイル。
【請求項９】
前記カバーシート（１５）と前記凹状面（１０）との間に、およびオプションで前記ハウジング（２）に、閉鎖空間（１７）が形成されることを特徴とする、請求項６〜８のいずれか１項に記載のタイル。
【請求項１０】
前記少なくとも１つの熱収集器（４）は、ヒートパイプ（３４）または熱電素子または蓄熱素子またはそれらの組合せを含むことを特徴とする、先行する請求項のいずれか１項に記載のタイル。
【請求項１１】
前記閉鎖空間（１７）にヒートパイプが配置される、請求項９および１０に記載のタイル。
【請求項１２】
前記少なくとも１つの熱収集器は、前記少なくとも１つの太陽電池と前記少なくとも１つの風路との間に、または前記少なくとも１つの風路内に配置されることを特徴とする、請求項１〜１０のいずれか１項に記載のタイル。
【請求項１３】
前記タイルは、好ましくは前記少なくとも１つの太陽電池（３）と前記風路（５）の壁、好ましくは前記凹状プレート（１１）との間に、前記少なくとも１つの太陽電池（３）に隣接する熱電発電層（１８）を含むことを特徴とする、先行する請求項のいずれか１項に記載のタイル。
【請求項１４】
前記風路（５）の表面は、流入する気流が渦流に変換されるように構造化されることを特徴とする、先行する請求項のいずれか１項に記載のタイル。
【請求項１５】
前記気流は、１つ以上のフラップおよび／または１つ以上の弁を用いて方向付けられることを特徴とする、先行する請求項のいずれか１項に記載のタイル。
【請求項１６】
前記タイルは、少なくとも１つのセンサ（１９）を含むことを特徴とする、先行する請求項のいずれか１項に記載のタイル。
【請求項１７】
前記少なくとも１つのセンサ（１９）は、湿度、温度、風速、光の強さ、および気圧を含む群から選択される状態を測定するように適合されることを特徴とする、請求項１６に記載のタイル。
【請求項１８】
前記少なくとも１つのセンサ（１９）は、エネルギー出力、前記風力タービンの回転、熱伝導、および前記タイルの温度を含む群から選択されるパラメータを測定するように適合されることを特徴とする、請求項１６または１７に記載のタイル。
【請求項１９】
前記タイルは、冷却素子（２２）、好ましくは能動冷却素子を含むことを特徴とする、先行する請求項のいずれか１項に記載のタイル。
【請求項２０】
前記冷却素子（２２）は、ペルチェ素子（２３）、磁気冷却素子、およびマイクロコンプレッサを含む群のうちの少なくとも１つであることを特徴とする、請求項１９に記載のタイル。
【請求項２１】
前記ハウジング（２）は、遮音材料、好ましくはプラスチックで少なくとも部分的に作られることを特徴とする、先行する請求項のいずれか１項に記載のタイル。
【請求項２２】
前記タイルは少なくとも１つの底部シート（２４）を含み、前記底部シート（２４）は好ましくは、遮音材料、特に好ましくはプラスチックで少なくとも部分的に作られることを特徴とする、先行する請求項のいずれか１項に記載のタイル。
【請求項２３】
前記タイルは、先行する請求項のいずれか１項に記載の別のタイルへの機械的接続のための機械的コネクタ（２１）を含むことを特徴とする、先行する請求項のいずれか１項に記載のタイル。
【請求項２４】
前記タイルは、ラッチ要素（２１）を含む、底部シート（２４）または追加のベースプレート（２０）を含むことを特徴とする、請求項２３に記載のタイル。
【請求項２５】
前記タイルは、電気コネクタ（２５）および／または熱コネクタおよび／または流体コネクタ（２６）を含むことを特徴とする、先行する請求項のいずれか１項に記載のタイル。
【請求項２６】
前記タイルは、気流を誘導するように前記風力タービンを作動させるためのモータを含むことを特徴とする、先行する請求項のいずれか１項に記載のタイル。
【請求項２７】
前記タイルはアクチュエータを含むことを特徴とする、先行する請求項のいずれか１項に記載のタイル。
【請求項２８】
前記タイルは、制御センター、好ましくは建物自動化制御センターに接続可能であることを特徴とする、先行する請求項のいずれか１項に記載のタイル。
【請求項２９】
前記熱収集器（４）は熱電素子を含むことを特徴とする、先行する請求項のいずれか１項に記載のタイル。
【請求項３０】
前記タイルは電気分解部を含むことを特徴とする、先行する請求項のいずれか１項に記載のタイル。
【請求項３１】
前記風力タービン（６）および前記太陽電池（３）および熱収集器（４）は、互いに独立して使用可能であることを特徴とする、先行する請求項のいずれか１項に記載のタイル。
【請求項３２】
屋根（１０１）、または壁（１０２）、またはシャフト、またはタワー、または地面、または水、または帆、または柔軟面であるか可動面である表面に設置されることを特徴とする、複数の、請求項１〜３１のいずれか１項に記載のタイル。
【請求項３３】
先行する請求項のいずれか１項に記載のタイルを複数含む、建物（１００）。
【請求項３４】
タイル、好ましくは請求項１〜３１のいずれか１項に記載のタイルの固定のための桟部材（２００）、好ましくは屋根用桟部材であって、
前記桟部材は、水を運ぶためのパイプ（２０３）と、電気配線のためのトラック（２０７）とを含み、前記電気配線は、タイル、好ましくは請求項１〜３１のいずれか１項に記載のタイルへの電気的接続を可能にする少なくとも１つの第１のインターフェイスを含み、
前記パイプが、流体接続を可能にする、タイル、好ましくは請求項１〜３１のいずれか１項に記載のタイルのための少なくとも１つの第２のインターフェイスを含むことと、前記タイルが、タイルの固定を可能にする第３の機械的インターフェイスを含むこととを特徴とする、桟部材（２００）。
【請求項３５】
前記桟部材は、前記パイプの少なくとも長手方向区分を好ましくは完全に包囲する、長手方向に延在するハウジングを含むことを特徴とする、請求項３４に記載の桟部材（２００）。
【請求項３６】
前記桟部材は、前記ハウジングの外面に、長手方向に延在する少なくとも１つの凹みを含み、前記凹みは好ましくは、電気配線のための前記トラックを含むことを特徴とする、請求項３５に記載の桟部材（２００）。
【請求項３７】
タイルは、ラッチ要素を用いて、前記桟部材に解放可能に取付け可能であることを特徴とする、請求項３４〜３６のいずれか１項に記載の桟部材（２００）。
【請求項３８】
前記インターフェイスのうちの少なくとも１つは、取外し可能な接続を可能にすることを特徴とする、請求項３４〜３７のいずれか１項に記載の桟部材（２００）。
【請求項３９】
変形可能な第１の周壁区分（３０１）と硬質の第２の周壁区分（３０２）とを含む壁を有する、流体の意図された流れ方向に直交する断面を有する、前記流体を運ぶためのパイプ（３００）であって、
変形可能な前記第１の区分は、熱伝導性材料で少なくとも部分的に作られることを特徴とする、パイプ（３００）。
【請求項４０】
前記第２の区分は前記パイプの中心に向かって延在して空洞（３０８）を形成し、前記空洞は前記第２の区分の外縁によって形成されることを特徴とする、請求項３９に記載のパイプ（３００）。
【請求項４１】
前記空洞は、前記パイプ内の前記流体の前記意図された流れ方向に沿って延在することを特徴とする、請求項４０に記載のパイプ（３００）。
【請求項４２】
前記第２の区分（３０２）は、ヒートパイプのヘッド（３０５）を受けるように適合されることを特徴とする、請求項４０または４１に記載のパイプ（３００）。
【請求項４３】
前記パイプは、ヘッドパイプのヘッド（３０５）を前記空洞（３０８）で受けて保持するためのラッチ要素を含むことを特徴とする、請求項４０〜４２のいずれか１項に記載のパイプ（３００）。
【請求項４４】
硬質の前記第１の区分（３０１）はＣ字型であることを特徴とする、請求項３９〜４３のいずれか１項に記載のパイプ（３００）。
【請求項４５】
前記壁の前記第１の区分（３０１）および前記第２の区分（３０２）は、好ましくは２成分射出成形または共押出によって一体的に形成されることを特徴とする、請求項３９〜４４のいずれか１項に記載のパイプ（３００）。
【請求項４６】
前記パイプ、好ましくは硬質の前記第１の区分（３０１）は導電性であり、電気的インターフェイスを含むことを特徴とする、請求項３９〜４５のいずれか１項に記載のパイプ（３００）。
【請求項４７】
請求項３９〜４６のいずれか１項に記載のパイプ（３００）と、
屋根に対して方向付け可能なノズルとを含む、システム。
【請求項４８】
パイプ（３００）、好ましくは請求項３９〜４６のいずれか１項に記載のパイプを生成する方法であって、
変形可能な第１の区分と硬質の第２の区分とを提供するステップと、
前記第１の区分と前記第２の区分とを第１の縁で接合するステップと、
前記第１の区分と前記第２の区分とを第２の縁で接合するステップとを含む、方法。
【発明の詳細な説明】
【技術分野】
【０００１】
本発明は、独立請求項の前文に記載のタイル、桟部材、パイプ、およびパイプを生成するための方法に関する。
【背景技術】
【０００２】
本発明は、再生可能エネルギーの収集の分野に関する。環境からエネルギーを収集することは、化石燃料および原子力エネルギーの必要性を低減させる１つの可能性である。最も一般的に適用されているシステムは、風力エネルギーから電力を生成するための風車、熱エネルギーを得るための熱交換器、および、日光から電気エネルギーを収集するための太陽電池である。
【０００３】
ＤＥ  １０  ２００９  ０１２  ５２０  Ａ１、およびＤＥ  ２０  ２００８  ０１４  ６８９  Ｕは、電柱に、または屋根棟の最高点に配置される風力タービンを開示している。住宅建設における法的規制により、これらの種類の風車はめったに建造されない。それとは別として、この種の構造は、建築上の観点から顧客に受け入れられない。
【０００４】
ＷＯ  ２００９／０８１４３９  Ａは、熱屋根または太陽電池屋根を形成するための太陽熱収集器モジュールを開示している。太陽熱収集器は、それが気象状態に依存しているという欠点を有する。天気が曇りの場合、エネルギー出力は減少する。別の欠点は、太陽電池および熱収集器が互いに隣接して配置されるため、それら双方のための面積がかなり必要になるということである。
【０００５】
ＤＥ  １０  ２０１１  １０５  ９６５  Ａ１は、箱状の屋根用モジュールからなる屋根用システムを開示している。モジュールは、気流のための中空空間を含む。一実施形態では、モジュールは、光起電力層または太陽電池を含む。
【０００６】
ＤＥ  １０  ２００４  ００１  ８７５  Ａ１は、液状媒体用の少なくとも１つの流路と支持構造とを含むプレハブ式の屋根モジュールを含む、断熱されたモジュール式屋根システムを開示している。一実施形態では、光起電力太陽電池またはモジュールが、取外し可能な接着ストリップを介して外部ケーシングに付着される。
【発明の概要】
【発明が解決しようとする課題】
【０００７】
本発明の目的は、先行技術の欠点を克服することである。
【課題を解決するための手段】
【０００８】
この発明の一局面によれば、それらの問題は、独立請求項および特徴事項に従ったタイル、桟部材、パイプ、およびパイプを生成するための方法を用いて解決される。
【０００９】
運動源、熱源、および光源からエネルギーを収集するためのタイル、好ましくは屋根タイルを提供することが提案される。タイルは、光源からエネルギーを収集するための少なくとも１つの太陽電池と、少なくとも１つの熱収集器とを有する、ハウジングを含む。タイルは、風力タービンを有する少なくとも１つの風路を含む。
【００１０】
ここに使用されるようなタイルは、建物の表面、好ましくは建物の屋根または壁を覆って保護するユニットとして理解される。
【００１１】
風力タービンは、太陽放射が少ない場合にエネルギーを提供するという利点を有する。このため、タイルは、エネルギー、たとえば電気エネルギーを、より一貫して、より確実に提供することができる。
【００１２】
好ましい一実施形態では、タイルは不透明な底部シートを含む。好ましい一実施形態では、タイルは底部シートを含まない。好ましい一実施形態では、タイルは、１０ｍｍ〜３０００ｍｍｍの長さを有する。好ましい一実施形態では、タイルは桟部材に接続可能である。好ましい一実施形態では、タイルは楕円形を有する。好ましい一実施形態では、タイルはチューブからなる。好ましい一実施形態では、タイルは、特に好ましくはタイル間に空間を有する状態で、積み重ね可能である。好ましい一実施形態では、風路は、ハウジング内の挿入物によって少なくとも部分的に形成される。好ましい一実施形態では、モジュールが内側から外側に折り畳まれ得る。それにより、屋根は通気されてもよい。好ましい一実施形態では、太陽電池は半導体を含む。
【００１３】
好ましい一実施形態では、風力タービンは、意図された使用中、太陽電池および／または熱収集器の、日光から遠い方を指す側に設けられる。
【００１４】
それにより、入射日光を効率的に使用することができる。なぜなら、太陽にさらされる表面が風力タービンによって使用されないためである。
【００１５】
好ましい一実施形態では、風路は、少なくとも１つの入口と少なくとも１つの出口とを含む。入口断面積および出口断面積は、入口と出口との間の風路の断面積よりも大きい。
【００１６】
このため、風路における風速はより小さい断面に向かって増加し、風力タービンによるより高いエネルギー変換効率が達成され得る。特に好ましくは、風力タービンは、風路の最小断面に配置される。
【００１７】
好ましい一実施形態では、入口および／または出口は、網を含む。
網は、風路を閉塞するかまたは風力タービンを詰まらせ得る葉のような物体から、風力タービンを保護する。
【００１８】
好ましい一実施形態では、タイルは凹状面を含み、それは特に好ましくは放物線状である。凹状面は特に好ましくは、少なくとも１つの太陽電池によって少なくとも部分的に形成される。
【００１９】
凹状面により、日光は、１つの特定の点または線で、すなわち、少なくとも１つの熱収集器に向かって反射され得る。このため、熱収集器のエネルギー出力が増加する。
【００２０】
好ましい一実施形態では、ハウジングは、風路を制限する凹状プレートを含む。
それにより、凹状面と、風路におけるより小さい断面積とを、特に単純なやり方で実現することができる。少なくとも１つの太陽電池を凹状プレートに取付けることができる。凹状プレートは、特に好ましくは放物線状である。
【００２１】
好ましい一実施形態では、凹状面は、風路の方向に延在する、または風路の方向に直交して延在する底部を含む。
【００２２】
風路は、ヒートパイプなどのチューブ状の熱収集器に向かう入射光の方向を可能にする。
【００２３】
特に好ましくは、底部は、熱収集器の方向に沿って延在する。
好ましい一実施形態では、タイルは、少なくとも部分的に間隔を置いた凹状面を覆う透明のカバーシートを含む。カバーシートは特に好ましくは、遮音材料で少なくとも部分的に作られる。特に好ましい１つの材料は、プラスチックである。特に好ましくは、遮音材料は、ガラス、ポリカーボネート、ポリメチルメタクリレート（poly methyl methacrylate：ＰＭＭＡ）、ポリシクロオレフィン（ゼオネックス（Zeonex）（登録商標））、ポリアミド、ポリエーテルイミド、およびポリスチレンを含むリストから選択される。
【００２４】
カバーシートは、雨またはあられのような環境の影響に対する少なくとも１つの太陽電池の保護を提供する。
【００２５】
好ましい一実施形態では、カバーシートは、風路の入口の側で風路を越えて延在する。
それにより、カバーシートは入口を保護する。このため、葉のようなものが入口から入らないよう防止される。
【００２６】
好ましい一実施形態では、風力タービンはロータブレードを含み、もしくは、ブレードレスタービンまたはテスラタービンまたは波発生器またはそれらの組合せである。
【００２７】
ブレードレスタービンは薄層を含んでいてもよく、油圧システムを用いて電力を生成してもよい。
【００２８】
特に好ましい一実施形態では、風力タービンは発電機を含む。発電機は、風力タービンのハブに配置されてもよい。発電機はそれに代えて、風力タービンの周囲に配置されたコイルを通って動く風力タービンブレードの先端上の永久磁石を含んでいてもよい。
【００２９】
好ましい一実施形態では、透明のカバーシートと凹状面との間に、閉鎖空間が形成される。オプションで、ハウジングも閉鎖空間を形成する。
【００３０】
閉鎖空間とは、閉鎖空間と外部との間での流体、すなわち空気の交換が阻止されるように閉鎖された空間として、ここに理解される。閉鎖空間は、入口および／または出口を含んでいてもよい。
【００３１】
それにより、閉鎖空間は、透明のカバーシートが光、たとえば日光にさらされると温まる。その結果、閉鎖空間は、少なくとも１つの熱収集器にとって好適な場所を提供する。
【００３２】
好ましい一実施形態では、少なくとも１つの熱収集器は、パイプまたは熱電素子または蓄熱素子またはそれらの組合せを含む。
【００３３】
特に好ましい一実施形態では、熱収集器はヒートパイプを少なくとも１つ、好ましくはたった１つ含む。ヒートパイプは、特に単純でコスト効率のよい熱収集器の実現例である。
【００３４】
熱電素子は好ましくは、ペルチェ素子を含む。
好ましい一実施形態では、閉鎖空間にヒートパイプが配置される。
【００３５】
ヒートパイプは、閉鎖空間内に配置されると特に効率的である。
好ましい一実施形態では、少なくとも１つの熱収集器は、少なくとも１つの太陽電池と少なくとも１つの風路との間に、または少なくとも１つの風路内に配置される。
【００３６】
それにより、熱収集器は、少なくとも１つの太陽電池の温度を調整することができる。
特に好ましくは、熱収集器は加えて、熱伝導プレートを含む。
【００３７】
好ましい一実施形態では、タイルは、少なくとも１つの太陽電池に隣接する熱電発電層を含む。
【００３８】
熱電発電層は好ましくは、ペルチェ素子を含む。
それにより、タイルのエネルギー出力はさらに増加する。オプションで、熱電発電層は、少なくとも１つの太陽電池を冷却する。
【００３９】
好ましい一実施形態では、風路の表面は、流入する気流が渦流に変換されるように構造化される。
【００４０】
それにより、風の運動エネルギーは、風力タービンによって、機械エネルギーにより効率的に変換され得る。
【００４１】
好ましい一実施形態では、気流は、１つ以上のフラップおよび／または１つ以上の弁を用いて方向付けられる。
【００４２】
特に好ましくは、フラップまたは弁は、制御部によって制御されるバイメタルまたはモータによって作動される。それに代えて、フラップは、温度が高くなると膨張する材料によって作動される。それにより、気流は好ましくは、タービンに向かって方向付けられる。
【００４３】
好ましい一実施形態では、タイルは、少なくとも１つのセンサを含む。
特に好ましい一実施形態では、少なくとも１つのセンサは、湿度、温度、風速、光の強さ、および気圧を含む第１の群から選択される状態を測定するように適合される。
【００４４】
特に好ましい一実施形態では、タイルは少なくとも２つのセンサを含み、一方のセンサは、第１の群から選択されるある状態を測定するように適合される。他方のセンサは、第１の群から選択される別の状態を測定する。
【００４５】
好ましい一実施形態では、少なくとも１つのセンサは、エネルギー出力、風力タービンの回転、熱伝導、およびタイルの温度を含む第２の群から選択されるパラメータを測定するように適合される。
【００４６】
特に好ましい一実施形態では、タイルは、これらの群のうちの１つから選択されるパラメータを測定するように適合された少なくとも２つのセンサを含む。
【００４７】
あるセンサは、これらの群のうちの１つから選択される第１のパラメータを測定し、一方、第２のセンサは、これらの群からの別のパラメータを測定する。オプションで、第３および第４のセンサが、これらの群から選択されるパラメータを測定してもよい。
【００４８】
それにより、装置が機能することが監視されてもよい。
好ましい一実施形態では、タイルは冷却素子を含む。好ましくは、冷却素子は能動冷却素子である。
【００４９】
能動冷却素子とは、電源を必要とする冷却素子としてここに理解される。
それにより、少なくとも１つの太陽電池が冷却されてもよい。
【００５０】
特に好ましい一実施形態では、能動冷却素子は、ペルチェ素子、磁気冷却素子、およびマイクロコンプレッサを含む群のうちの少なくとも１つである。
【００５１】
好ましい一実施形態では、ハウジングは、遮音材料で少なくとも部分的に作られる。遮音材料は好ましくは、プラスチックである。
【００５２】
それにより、騒音、たとえば風力タービンからの騒音が、周囲、たとえば家から遮音され得る。
【００５３】
好ましい一実施形態では、タイルは少なくとも１つの底部シートを含む。底部シートは好ましくは、遮音材料で少なくとも部分的に作られる。遮音材料は特に好ましくは、プラスチックである。
【００５４】
一実施形態では、底部シートは風路を制限する。
それにより、部分を少ししか必要としない風路の特に単純な構造が可能になる。特に好ましい一実施形態では、底部は透明である。
【００５５】
好ましい一実施形態では、タイルは、別のタイルへの機械的接続のための機械的コネクタ（２１）を含む。
【００５６】
好ましい一実施形態では、タイルの構成要素は、機械的コネクタによって接続される。
機械的コネクタの例は、ねじ、釘、または結合剤である。
【００５７】
それにより、タイルは別のタイルに接続され、ひいては固定され得る。
好ましくは、タイルは、閉鎖面が形成されるように接続可能である。
【００５８】
それにより、閉鎖面は、建物が保護されるように形成され得る。
好ましい一実施形態では、タイルは、ラッチ要素を含む、底部シートまたはベースプレートを含む。
【００５９】
それにより、タイルは、特に単純なやり方で、すなわち、さらなる工具または部品を必要とすることなく、別のタイルに接続され得る。
【００６０】
好ましい一実施形態では、タイルは、電気コネクタおよび／または熱コネクタおよび／または流体コネクタを含む。
【００６１】
それにより、タイルは、建物または別のタイルと電気的に、および／または熱的に、および／または流体的に接続されてもよい。特に、タイルは、構内電気ネットワーク、および／または家の暖房、および／または家の中のセンサに接続されてもよく、または接続可能であってもよい。
【００６２】
特に好ましい一実施形態では、コネクタのうちの少なくとも１つは、別のタイルに接続可能である。
【００６３】
それにより、屋根を組立てる時間が短縮され得る。
好ましい一実施形態では、タイルは、気流を誘導するように風力タービンを作動させるためのモータを含む。
【００６４】
それにより、気流は出口から入口に流れるように反転され得る。このため、風路における閉塞または障害が排除され得る。
【００６５】
好ましい一実施形態では、タイルはアクチュエータを含む。
アクチュエータは、エネルギー出力を最適化するために、太陽電池の移動を可能にする。それに加えて、またはそれに代えて、アクチュエータはカバーシートをずらしてもよく、カバーシートと凹状面との間の空間での空気循環を可能にする。空気循環は次に、太陽電池を冷却する。
【００６６】
特に好ましくは、アクチュエータは、タイル位置を太陽の位置までの位置に調節するために、タイルを回転させることができる。アクチュエータは、たとえば電源を有する電気モータによって能動的に制御されてもよく、または、外部状況、たとえば熱にさらされると膨張する材料によって始動されてもよい。
【００６７】
特に好ましい一実施形態では、アクチュエータは、少なくとも１つの太陽電池および／または風力タービンのブレードおよび／または熱収集器を動かす。
【００６８】
それにより、少なくとも１つの太陽電池および／または風力タービンのブレードおよび／または熱収集器の特性および／または位置が、外部状況に従って最適化され得る。
【００６９】
好ましい一実施形態では、タイルは、制御センター、特に好ましくは建物自動化制御センターに接続可能である。
【００７０】
それにより、タイルを遠隔で制御すること、たとえば、オンまたはオフに切替え、および／または監視し、および／または作動することができる。
【００７１】
好ましい一実施形態では、熱収集器は熱電素子を含む。
それにより、熱エネルギーは直接、電気エネルギーに変換され得る。
【００７２】
好ましい一実施形態では、タイルは電気分解部を含む。
それにより、タイルはエネルギー貯蔵として水素を生成してもよい。
【００７３】
好ましい一実施形態では、風力タービンおよび太陽電池発電機および熱生成器は、互いに独立して使用可能である。
【００７４】
それにより、これらのユニットのうちの１つが損傷した場合、他の２つが機能し得る。
好ましい一実施形態では、タイルは、屋根、または壁、またはシャフト、またはタワー、または地面、または水、または帆、または曲げられる表面、たとえば帆または帆布、または、たとえば自動車、列車、またはトラックのようなモータ車両、あるいは船舶といった乗り物の外面に設置される。
【００７５】
この発明の別の局面によれば、複数のタイルを含む建物を提供することが提案される。好ましい一実施形態では、タイルは屋根用タイルであり、建物の屋根を覆ってもよい。
【００７６】
この発明の別の局面によれば、タイルの固定のための桟部材を提供することが提案される。桟部材は、水を運ぶためのパイプと、電気配線のためのトラックとを含む。電気配線は、タイルへの電気的接続を可能にする少なくとも１つの第１のインターフェイスを含む。パイプは、流体接続を可能にする、タイルのための少なくとも１つの第２のインターフェイスを含む。タイルは、タイルの固定を可能にする第３の機械的インターフェイスを含む。
【００７７】
それにより、タイルのための電気的接続および流体接続を桟部材によって提供することができ、タイルは桟部材にも固定される。屋根タイルのためのすべての接続要素は単一のユニットで提供され、それは桟部材の取扱いを容易にし、建設プロセスを加速し得る。
【００７８】
好ましい一実施形態では、桟部材は、パイプの少なくとも長手方向区分を包囲するハウジングを含む。
【００７９】
それにより、パイプは保護される。
特に好ましい一実施形態では、桟部材は、パイプの長手方向区分を完全に包囲する。
【００８０】
好ましい一実施形態では、ハウジングは、木材、特に好ましくは木材とプラスチックとの複合物で作られる。それに代えて、ハウジングは、金属またはプラスチックで作られてもよい。
【００８１】
それにより、ハウジングは機械的インターフェイスを提供する。タイルは、釘かねじで留められ得る。
【００８２】
桟部材における好ましい実施形態は、ハウジングの外面に、長手方向に延在する少なくとも１つの凹みを含む。凹みは特に好ましくは、電気配線のためのトラックを含む。
【００８３】
それにより、電気配線は凹み内で保護される。
好ましい一実施形態では、タイルは、ラッチ要素を用いて、桟部材に解放可能に取付け可能である。
【００８４】
それにより、タイルと桟部材とは、さらなる工具を使用することなく接続され得る。
好ましい一実施形態では、インターフェイスのうちの少なくとも１つは、取外し可能な接続を可能にする。
【００８５】
それにより、接続の場合、または、タイルが桟部材から取り外される場合に、電気配線またはパイプ接続が取り外されてもよい。
【００８６】
この発明の別の局面によれば、流体を運ぶためのパイプを提供することが提案される。パイプは、変形可能な第１の周壁区分と硬質の第２の周壁区分とを含む壁を有する、流体の意図された流れ方向に直交する断面を有する。変形可能な第１の区分は、熱伝導性材料で少なくとも部分的に作られる。
【００８７】
それにより、パイプ内の流体への熱伝導性接続が、変形可能な第２の壁区分を通して形成されてもよい。変形性は締まり嵌めを可能にし、それは熱伝導性を高める。
【００８８】
変形可能な材料の壁区分は好ましくは、ポリアミド、ポリブチレンテレフタレート、または液晶ポリマー、またはポリフェニレンサルファイドで作られる。特に好ましくは、変形可能な壁区分は、ＰＡ６またはＰＡ１２またはＰＡ６６で作られる。
【００８９】
好ましい一実施形態では、第２の区分はパイプの中心に向かって延在して空洞を形成する。空洞は第２の区分の外縁によって形成される。
【００９０】
それにより、熱を伝導する表面積が増加する。
好ましい一実施形態では、空洞は、パイプ内の流体の意図された流れ方向に沿って延在する。
【００９１】
それにより、熱エネルギーが伝導される表面が増加する。予想される別の利点は、空洞の長さに沿った任意の場所で熱源を挿入するための柔軟性である。
【００９２】
好ましい一実施形態では、第２の区分は、ヒートパイプのヘッドを受けるように適合される。
【００９３】
好ましい一実施形態では、パイプは、ヘッドパイプのヘッドを空洞で受けて保持するためのラッチ要素を含む。
【００９４】
それにより、ヒートパイプのヘッドは、さらなる工具を必要とすることなく保持され得る。
【００９５】
好ましい一実施形態では、硬質の第１の部分はＣ字型である。
この形状は、経済的に生成することができる。
【００９６】
好ましい一実施形態では、パイプは、屋根に対して方向付け可能なノズルを含む。
建物での飛火または火事の場合、ノズルは、パイプ内の液体、すなわち水を吹きつけてもよい。
【００９７】
好ましい一実施形態では、壁の第１の部分および第２の部分は一体的に形成される。特に好ましい一実施形態では、第１の部分および第２の部分は、２成分射出成形または共押出によって形成される。
【００９８】
それにより、パイプをコスト効率よく生成することができる。
好ましい一実施形態では、パイプは導電性であり、電気的インターフェイスを含む。特に好ましい一実施形態では、硬質の区分は導電性であり、電気的インターフェイスを含む。
【００９９】
それにより、パイプは避雷針として使用されてもよい。
この発明の別の局面によれば、システムが提供される。このシステムは、パイプと、屋根に対して方向付け可能なノズルとを含む。
【０１００】
それにより、このシステムは、屋根タイルを清掃するために、および／または消火するために使用されてもよい。
【０１０１】
この発明の別の局面によれば、パイプを生成するための方法が提供される。この方法は、変形可能な第１の区分と硬質の第２の区分とを提供するステップと、第１の区分と第２の区分とを第１の縁で接合するステップと、第１の区分と第２の区分とを第２の縁で接合するステップとを含む。
【０１０２】
この発明の非限定的な実施形態を、添付図面に関して単なる例として説明する。
【図面の簡単な説明】
【０１０３】
【図１】屋根タイルの一部の斜視図である。
【図２】図１の屋根タイルの一部の正面図である。
【図３】図１の屋根タイルの後ろ側の斜視図である。
【図４】屋根タイルのアセンブリの斜視図である。
【図５】屋根タイルの、センサ、電子制御装置、および機械的要素用の内部空間の底面図である。
【図６】屋根タイルの第２の実施形態の斜視図である。
【図７】屋根タイルの第３の実施形態の斜視図である。
【図８】複数の屋根タイルが屋根に搭載された建物の斜視図である。
【図９】複数の屋根タイルが壁に搭載された建物の斜視図である。
【図１０】桟部材の斜視図である。
【図１１】パイプの斜視図である。
【図１２】複数のヒートパイプを有するパイプの斜視図である。
【発明を実施するための形態】
【０１０４】
図１は、タイルの第１の実施形態の斜視図を示す。図１に示すタイルは屋根タイル１である。屋根タイル１はハウジング２を含む。ハウジング２は、２つの外壁２８と、内壁２９と、凹状プレート１１とを含む。凹状プレート１１は放物線形状を有する。凹状プレート１１の長手方向の両端に、カバーシート１５が固定される。カバーシート１５と凹状プレート１１との間に、空間が形成される。屋根タイル１は、底部３８と上部３９とを含む。凹状プレート１１の上側に、太陽電池３が搭載される。太陽電池３は、太陽電池３によって形成された凹状面１０によって反射された日光が熱収集器４に向かって反射されるように、凹状プレート１１に搭載される。熱収集器４はヒートパイプ３４を含む。ヒートパイプ３４は半円層４０によって包囲されており、それは、ヒートパイプ３４を含む閉鎖空間を規定する。半円層４０は光吸収材料で作られる。入射光は凹状面１０から反射され、熱収集器４によって吸収される。
【０１０５】
凹状プレート１１および底部シート２４（図４参照）と組合された内壁２９および外壁２８は、第１の風路５および第２の風路２７を規定する。第１の風路５は第１の入口７を含み、第２の風路は第２の入口３０を含む。これらの入口は、網（図示せず）によって保護される。双方の風路は、屋根タイル１の長手方向１３に延在する。
【０１０６】
凹状プレートは、底部１２を有する放物線形状を有する。底部１２は、風路５、２７の方向に直交する方向１４に沿って延在する。
【０１０７】
さらに、カバーシート１５は、風路５、２７の入口７、３０を越えて延在する。このため、カバーシート１５は、入口７、３０を保護する張出し３３を含む。
【０１０８】
図２は、図１の屋根タイル１の正面図を示す。図２は、風路５、２７の形状を表示する。これらの風路の断面は、凹状プレート１１と内壁２９および外壁２８とによって規定される。壁２８および２９は、各風路５、２７の中央に向かって曲がっている。加えて、凹状プレート１１は、底部側３８に向かう方向に延在する。このため、入口７、３０の断面積は、入口から風路５、２７の方向に減少する。各風路は風力タービン６、３２を含む。風力タービン６、３２は、風路の最小断面に配置される。各風力タービン６は、風路５、２７を吹き抜ける風によって始動されるブレードを有するロータを含む。
【０１０９】
図３は、屋根タイル１の後ろ側の斜視図を示す。図３は、第１の風路５の第１の出口８と、第２の風路２７の第２の出口３１とを示す。風力タービン６が配置される、入口７、３０と出口８、３１との間の風路の断面積は、出口８、３１の断面積よりも小さい。
【０１１０】
図４は、屋根タイル１の別の斜視図である。屋根タイル１は、底部シート２４（図１〜３には図示せず）をさらに含む。底部シート２４は、内壁２９および外壁２８に取付けられる。底部プレートは、屋根タイルの底部側３８で風路５、２７を閉鎖しており、ハウジング２と同じ材料で作られている。
【０１１１】
図５は、これまでの図に示す屋根タイルをより詳細に示す。外壁２８および内壁２９は各々、中空空間を含む。中空空間内に、制御部３７およびセンサ３６が配置される。制御部３７は内壁２９内に配置される。制御部３７は、風力タービン６、３２、熱収集器４、および太陽電池３の出力を制御する。さらに、制御部３７はセンサ３６に接続されている。
【０１１２】
センサ３６は、風路５および２７を通る気流の流速、ハウジング２内の温度、光の入射、すなわちタイル１に対する入射角、光の強さ、ロータの回転速度、ならびに、電気出力電流および電圧を測定する。
【０１１３】
制御部３７はさらにロータを制御し、センサ３６によって収集されたデータを建物制御センターへ送信することによって建物制御センターと通信する。建物制御センターで、データは評価される。送信されたデータは、各制御部に固有の識別子を含む。
【０１１４】
さらに、制御部は、建物の暖房設備、水設備、および電力設備と通信する。
底部シート２４は、４つのラッチ要素２１を含む。ラッチ要素２１を用いて、屋根タイルは屋根用桟部材（図１０参照）に接続される。
【０１１５】
さらに、熱収集器４は流体コネクタ２６を含む。流体コネクタ２６は、隣接するタイルのヒートパイプへの流体接続を可能にする。屋根タイルはまた、電気コネクタ２５によって、隣接するタイルに電気的に接続される。電気コネクタ２５は、生成された電力を、次のタイルまたは構内電気ネットワークに転送する。発電機（図示せず）も、風力タービン６、３２のハブに配置される。発電機は、風力タービンの機械エネルギーを電気エネルギーに変換する。
【０１１６】
図６は、屋根タイルの第２の実施形態の斜視図を示す。第１の実施形態と同様に、第２の実施形態は、凹状面を形成する太陽電池４３が搭載された凹状プレート４２を含む。凹状プレート４２は、風路４５の入口を越えて延在するカバーシート４４によって保護される。屋根タイル１の第２の実施形態は、プレート４２の凹が異なる方向に配向されている点で、第１の実施形態とは異なる。第１の実施形態と同様に、凹状面は底部４１を含む。しかしながら、底部４１は、風路４５の方向に沿った方向に延在する。
【０１１７】
さらに、第２の実施形態は、１つのタービンを有する単一の風路４５のみを含む。
図７は、屋根タイル８０の第３の実施形態の斜視図を示す。第３の実施形態は、正方形の断面を有する風路８２を含む。正方形の断面は、ハウジング８１によって形成される。ハウジングの上部側８３に、太陽電池８４が固定される。太陽電池８４とハウジング８１との間に、熱収集器８５が配置される。第３の実施形態では、熱収集器８５は熱電発電層８６である。風力タービン８７が、風路８２の入口８８と出口８９との間に配置される。
【０１１８】
図８および図９は、この発明に従った屋根タイル１を複数有する建物１００および２００の斜視図を示す。図８では、屋根タイル１は屋根に搭載されている。屋根タイルは、電気コネクタおよび流体コネクタを介して互いに接続される。各タイルのヒートパイプは、隣接するタイル１に接続される。図８からわかるように、屋根タイル１は従来の屋根タイルを置換えており、それの他の機能に加えて、屋根を環境から保護する。屋根タイルは、機械的接続によって互いに固定され、ラッチ要素を用いて桟部材に固定される。
【０１１９】
１つの縁に、底部シート２４は空洞を形成する。空洞は、空洞よりも小さい開口部を含む。対向する縁に、底部シート２４は突起を含む。突起および空洞は、突起が空洞に挿入され得るように相補的に形作られる。
【０１２０】
屋根タイルの別の用途を図９に示す。屋根タイル１は建物の壁に搭載されている。
図１０は、桟部材２００の斜視図を示す。桟部材２００は、２つの垂木（図示せず）間の接続を形成しており、屋根タイルの取付け用の土台である。桟部材２００は、木材で作られたハウジング２０１を含む。ハウジング２０１はその中心に中空空間２０２を含み、それは桟部材２００の長手方向２０４に沿って延在する。中空空間２０１内にパイプ２０３が配置される。パイプ２０３も長手方向２０４に沿って延在しており、ハウジング２０１によって保護される。パイプ２０３は、屋根タイルにおける熱収集器用の水を運ぶ。
【０１２１】
加えて、桟部材２００は、その側面に、２つのＵ字型の凹み２０５、２０６を含む。凹み２０５および２０６に、電気ケーブル用のトラック２０７および２０８が配置される。トラックは閉鎖されており、よってケーブルを保護する。電気ケーブルは屋根タイルに電気的に接続され、生成された電力を屋根タイルから建物に伝達する。加えて、トラック２０７および２０８における別の電気ケーブルが情報をタイルから建物制御センターに伝達し、逆もまた同様である。
【０１２２】
屋根タイルは、桟部材２００に解放可能に取付け可能な支持体を用いて、桟部材２００に接続される。
【０１２３】
支持体は、９０度の角度を有する２つの角ブラケットと、断熱層とを含む。断熱層は、屋根タイルと桟部材との間に熱障壁を提供する。第１の角ブラケットの一方側に、断熱層が配置される。次に、開口部を規定する２つのアームを有するＵ字型構造が結果として生じるように、第２の角ブラケットの一方側が断熱層上に配置される。開口部の幅は、Ｕ字型構造の端に向かってより小さくなっている。このため、支持体が桟部材２００上を摺動すると、Ｕ字型構造のアームが桟部材にスナップ嵌合する。断熱層と各角ブラケットの一方側とは、支持体の接続部分を形成する。接続部分は、タイルと桟部材２００との電気的接続を可能にする２つの電気導体を含む。
【０１２４】
図１１および図１２はパイプ３００を示す。パイプ３００の壁は、２つの壁区分３０１、３０２で作られる。第１の区分３０１は、硬質のＣ字型の周壁区分である。第１の区分３０１は金属で作られており、建物の避雷針への電気的接続を含む。Ｃ字型の第１の区分の開放端３０３は、第２の部分３０２によって閉鎖される。第２の区分３０２は、プラスチックのような変形可能な弾性材料で作られる。第１の区分の断面は、パイプ３００の中心３０４を中心とした円形である。第２の区分３０２は中心３０４に向かって延在し、Ｖ字型のくぼみ３０８として実現された空洞を形成する。パイプ３００は、その穴３０７の中の水を運ぶ。
【０１２５】
図１２に示すように、ヒートパイプ３０６のヘッド３０５がくぼみに挿入される。ヒートパイプのヘッド３０５は、変形可能な第２の壁区分３０２を穴３０７の中の水へと押込む。穴の中の水の圧力と第２の壁区分の弾性とが次に、第２の壁区分をヒートパイプのヘッド３０５にしっかり押付ける。すべてのヒートパイプヘッドがＶ字型のくぼみ３０８に挿入された後に、Ｖ字型のくぼみ３０８は泡で充填される。
【０１２６】
パイプは、ヒートパイプをその位置で保持するラッチ要素（図示せず）を含む。さらに、パイプは噴射口（図示せず）を含む。噴射口は、建物の屋根に向かって、または屋根タイルのカバーシートに向かって方向付けられる。
【図１】
2019535942.tif 000003
【図２】
2019535942.tif 000004
【図３】
2019535942.tif 000005
【図４】
2019535942.tif 000006
【図５】
2019535942.tif 000007
【図６】
2019535942.tif 000008
【図７】
2019535942.tif 000009
【図８】
2019535942.tif 000010
【図９】
2019535942.tif 000011
【図１０】
2019535942.tif 000012
【図１１】
2019535942.tif 000013
【国際調査報告】
2019535942.tif 000014
2019535942.tif 000015
2019535942.tif 000016
2019535942.tif 000017
2019535942.tif 000018